(57)【要約】【課題】  光伝送モジュールの光出力側の光ファイバーが抜かれた場合に対して、光出力を止める制御が無いため、光伝送モジュールは光を外へ出し続けることとなる。【解決手段】  光伝送モジュールのファイバー差込口に光ファイバーが抜かれると光伝送モジュールの光出力制御回路が働き、光出力を出さない若しくは小さくする制御を行うスイッチを設ける。一つの例としては、光伝送モジュールのファイバー差込口の下面に、二つの導電体を具備し、一つの導電体に弾性を持たせる。光伝送モジュールから光ファイバーが抜かれると、二つの導電体は開放状態となり、光制御回路は、光を出さない制御を行う。【選択図】  図３
2008164655.tif 000002
【特許請求の範囲】
【請求項１】
光ファイバーを直接挿入し光伝送を行うレセプタクルタイプのプラガブル光伝送モジュールにおいて、光ファイバー差込口の側面に、光ファイバーが光伝送モジュールの光送信側から抜かれることによって上下左右のいずれかの方向に稼動しこの動きが光伝送モジュールの内部の光出力制御回路に連動し、光伝送モジュールの光出力を出さない若しくは小さくするスイッチを具備したことを特徴とする光伝送モジュール。
【請求項２】
光伝送モジュールのファイバー差込口の側面に、二つ以上の導電体を具備しており、一つ以上の導電体に弾性を持たせ、光ファイバーが光伝送モジュールに差込まれると弾性体が倒れ、他の導電体と導通し、光ファイバーが抜かれると弾性体が元に戻り開放となる位置関係になっており、導電体同士の導通、開放により、光伝送モジュールの光出力を出さない若しくは小さくする光出力制御を行えるように、前記導電体と内部の制御回路が結線されていることを特徴とした光伝送モジュール。
【請求項３】
光伝送モジュールのファイバー差込口の側面に、発光ダイオードを、光伝送モジュールのファイバー差込口の側面且つ発光ダイオードの指向方向に、フォトダイオードを具備しており、光ファイバーが光伝送モジュールの光送信側から抜かれることによって、フォトダイオードが、光ファイバーが光伝送モジュールに挿入されている時には光ファイバーにより遮られていた発光ダイオードの光を受けて、その信号を光伝送モジュールの光出力制御回路に連動させ、光伝送モジュールの光出力を出さない若しくは小さくする制御を行うことを特徴とした光伝送モジュール。
【請求項４】
光伝送モジュールのファイバー差込口の側面に、発光ダイオードを、光伝送モジュールのファイバー差込口の側面且つ発光ダイオードの指向方向に、反射レンズを具備しており、反射レンズを介して発光ダイオードの光を光伝送モジュール内部で受けるフォトダイオードを具備しており、光ファイーバーが光伝送モジュールから抜かれると、発光ダイオードの光フォトダイオードが受けて、その信号を光伝送モジュールの光出力制御回路に連動させ、光伝送モジュールの光出力を出さない若しくは小さくする制御を行うことを特徴とした光伝送モジュール。
【発明の詳細な説明】
【技術分野】
【０００１】
本発明は、光通信を行うための光伝送モジュールに関する。
【背景技術】
【０００２】
光ファイバーを直接差込み、光伝送を行うレセプタクルタイプのプラガブル光伝送モジュール(以下  光伝送モジュール)の代表例として、ＭＳＡ（Multi Source Agreement：複数の企業によるグループにて決められた仕様で製品化する形態）にて規格化されたＸＦＰ、ＳＦＰ、Ｘ２、ＸＥＮＰＡＫ、ＸＰＡＫ等がある。
【０００３】
このような光伝送モジュールは、主に伝送装置の筐体に差込まれて伝送装置から電源が供給され、光ファイバーを差込むことで光伝送を行う。また、伝送装置は、光伝送モジュールの光出力のＯＮ またはＯＦＦ等の制御も行うことができる。
【０００４】
【非特許文献１】例えば、インターネット＜ｈｔｔｐ：／／ｗｗｗ．ｘｆｐｍｓａ．ｏｒｇ＞
【発明の開示】
【発明が解決しようとする課題】
【０００５】
従来の伝送装置では、光伝送モジュールの光出力のＯＮ またはＯＦＦ等の制御を行うことができるが、伝送装置と光ファイバーの間や、光ファイバーと光伝送モジュールの間には光出力を制御する連動性は無い。そのため、光出力側の光ファイバーが抜かれてしまっても、伝送装置は光伝送モジュールの光出力を止めることができず、光伝送モジュールは光を外へ出し続けることとなってしまう。
【課題を解決するための手段】
【０００６】
上述の課題を解決するために、光伝送モジュールのファイバー差込口に光ファイバーが抜かれると光伝送モジュールの光出力制御回路が働き、レーザ光を出力させない、又は光出力を小さくする制御を行うことによってレーザ光の不要な発光を防止することが可能となる。
【発明の効果】
【０００７】
従来の光伝送モジュールでは、伝送装置と光ファイバーの間や、光ファイバーと光伝送モジュールの間には光出力を制御する連動性は無く、光出力側の光ファイバーが抜かれてしまっても、伝送装置は光伝送モジュールの光出力を止めることができず、光伝送モジュールは光を外へ出し続けることとなってしまうが、本発明では、光伝送モジュールのファイバー差込口に光出力制御回路に連動したスイッチを設けており、光ファイバーが抜かれると、光伝送モジュールの光出力制御回路が働き、光出力を出さない若しくは小さくする制御を行うことができる。
【発明を実施するための最良の形態】
【０００８】
ＸＥＮＰＡＫ,Ｘ２、ＸＰＡＫ、ＳＦＰ、ＸＦＰといったプラガブルモジュールのレセプタクルに本発明のスイッチを設け、ファイバーが抜かれた際に光出力を出さない若しくは小さくする制御を行う。
【実施例１】
【０００９】
図１は本発明に係る光伝送モジュール及び伝送装置を含めた全体構成を示す図である。図１において、光ファイバ３のコネクタ部が光伝送モジュール２に装着され、光伝送装置１へ装填される。
【００１０】
図２に光伝送を行う光伝送モジュールの断面図と内部制御回路の簡易図を示す。図２において、
４は光ファイバー、５は光伝送モジュールケース、６は光ファイバーが挿抜されるコネクタ、７は弾性を持った導電体、８は導電体、９は光の出力源となるレーザーモジュール、１０はレーザーモジュールの光出力を出す制御をしているＩＣ、１１はプルダウン抵抗、１２はレーザーモジュールの光出力を制御するＩＣを制御する電源、１３はシグナルグランドである。
【００１１】
光伝送モジュールのファイバー差込口の下面に、二つの導電体７、８を具備しており、一つの導電体７に弾性を持たせる。図２は、光ファイバーが光伝送モジュールに差込まれている状態であり、光ファイバー４が挿入されると弾性体７が倒れ、一方の導電体８と接触することによって電源１２とＩＣ１０とが導通状態となり、ＩＣ１０を含めた光制御回路は光出力を出す制御を行う。  
一方、図３は光伝送モジュールから光ファイバーが抜かれた時の状態と内部回路の簡易図を示す。光伝送モジュールから光ファイバーが抜かれると、二つの導電体７、８は開放状態となり、電源１２とＩＣ１０とが非導通状態となることによってＩＣ１０の電源がグランドに接地され、ＩＣ１０を含めた光制御回路は光を出さない制御を行う。
【００１２】
このように、光伝送モジュールのファイバー差込口の側面に、光ファイバーが光伝送モジュールの光送信側から抜かれることで、上下左右のいずれかの方向に稼動し、この動きが光伝送モジュールの内部の光出力制御回路に連動し、光伝送モジュールの光出力を出さない若しくは小さくするスイッチを光伝送モジュールに設けることで実現することができる。
【００１３】
また、光伝送モジュールのファイバー差込口の側面に、二つ以上の導電体を具備しており、一つ以上の導電体に弾性を持たせ、光ファイバーが光伝送モジュールに差込まれると弾性体が倒れ、他の導電体と導通し、光ファイバーが抜かれると弾性体が元に戻り開放となる位置関係になっており、光ファイバーの挿抜に伴う導電体同士の導通、開放を利用することでも、光伝送モジュールの光出力の制御を行うことができる。
【００１４】
さらに、光伝送モジュールの光出力制御は、以上のような機械的なスイッチだけではなく、光伝送モジュールのファイバー差込口の側面に、発光ダイオードを、光伝送モジュールのファイバー差込口の側面且つ発光ダイオードの指向方向に、フォトダイオードを具備しており、光ファイバーが光伝送モジュールの光送信側から抜かれることで、フォトダイオードが、光ファイバーが光伝送モジュールに挿入されている時には光ファイバーにより遮られていた発光ダイオードの光を受けて、その信号を光伝送モジュールの光出力制御回路に連動させ光伝送モジュールの光出力を出さない若しくは小さくするといった、光学的なスイッチを用いても実現することができる。
【００１５】
また、発光ダイオードの指向方向に、反射レンズを具備しており、反射レンズを介して発光ダイオードの光を光伝送モジュール内部で受けるフォトダイオードを具備しており、光ファイーバーが光伝送モジュールから抜かれると、発光ダイオードの光フォトダイオードが受けて、その信号を光伝送モジュールの光出力制御回路に連動させ、光伝送モジュールの光出力を出さない若しくは小さくする制御形態でも良い。
【図面の簡単な説明】
【００１６】
【図１】光伝送装置を含む光伝送モジュールの全体構成概観図である。
【図２】本願発明における光伝送モジュールの光出力制御を説明する図である。
【図３】本願発明における光伝送モジュールの光出力制御を説明する図である。
【符号の説明】
【００１７】
１・・・光伝送装置、２・・・光伝送モジュール、３・・・光ファイバー、４・・・光ファイバー、５・・・光伝送モジュールケース、６・・・光ファイバーが挿抜されるコネクタ、７・・・弾性を持った導電体、８・・・導電体、９・・・光の出力源となるレーザーモジュール、１０・・・レーザーモジュールの光出力を出す制御をしているIC、１１・・・プルダウン抵抗、１２・・・レーザーモジュールの光出力を制御するICを制御する電源、１３・・・シグナルグランド
【図１】
2008164655.tif 000003
【図２】
2008164655.tif 000004
【図３】
2008164655.tif 000005